(57)【要約】【課題】原水加温に関するエネルギー効率が改善され、且つ、原水の冷却をも効果的に実施できる人工透析用水製造装置を提供すること。【解決手段】本発明は、原水が貯留される原水タンクと、前記原水タンク内の原水を循環させながら当該原水の温度を制御する熱交換装置と、前記原水タンク内の調温された原水を前処理する前処理ユニットと、前記前処理ユニットによって前処理された原水に対して逆浸透膜を用いて当該原水をＲＯ水とＲＯ排水とに分離するＲＯモジュールと、を備え、前記熱交換装置は、熱源として、前記ＲＯ排水の熱と、外気の熱と、を切り替え利用可能なヒートポンプチラーを有していることを特徴とする水処理装置である。【選択図】図１
2018027256.tif 000002
【特許請求の範囲】
【請求項１】
原水が貯留される原水タンクと、
前記原水タンク内の原水を循環させながら当該原水の温度を制御する熱交換装置と、
前記原水タンク内の調温された原水を前処理する前処理ユニットと、
前記前処理ユニットによって前処理された原水に対して逆浸透膜を用いて当該原水をＲＯ水とＲＯ排水とに分離するＲＯモジュールと、
を備え、
前記熱交換装置は、熱源として、前記ＲＯ排水の熱と、外気の熱と、を切り替え利用可能なヒートポンプチラーを有している
ことを特徴とする水処理装置。
【請求項２】
前記熱交換装置は、前記原水タンク内の原水を２５℃〜３３℃の範囲に調温するようになっている
ことを特徴とする請求項１に記載の水処理装置。
【請求項３】
前記原水タンク内の原水の温度を測定する温度センサ
を更に備え、
前記温度センサによって測定される原水の温度が所定範囲内である時には、前記熱交換装置は作動しないようになっている
ことを特徴とする請求項１または２に記載の水処理装置。
【請求項４】
前記熱交換装置への前記ＲＯ排水の供給を制御するＲＯ排水開閉弁と、
前記熱交換装置を迂回して前記ＲＯ排水を排水するバイパス経路と、
前記バイパス経路への前記ＲＯ排水の供給を制御するバイパス開閉弁と、
を更に備え、
前記温度センサによって測定される原水の温度が第１所定値未満である時に、前記ＲＯ排水開閉弁が開放されて、前記パイパス開閉弁が遮断されるようになっており、
前記温度センサによって測定される原水の温度が第２所定値以上である時に、前記ＲＯ排水開閉弁が遮断されて、前記パイパス開閉弁が開放されるようになっている
ことを特徴とする請求項３に記載の水処理装置。
【請求項５】
前記熱交換装置へ前記ＲＯ排水が供給されない時、前記熱交換装置は、熱源として外気の熱を利用するようになっている
ことを特徴とする請求項１乃至４のいずれかに記載の水処理装置。
【発明の詳細な説明】
【技術分野】
【０００１】
本発明は、透析治療に用いられる人工透析用水等を製造するための水処理装置に関する。
【背景技術】
【０００２】
従来の人工透析用水製造装置について、図１２を用いて説明する。図１２に示すように、人工透析用水は、典型的には水道水や井戸水である原水から製造される。
【０００３】
原水は、まず、原水タンク５１に貯留される。原水タンク５１の内部には、加温用ヒータ５１ｈが設けられていて、原水の温度を２５℃にまで加温する。原水の温度が２５℃よりも低いままでは、後続の装置内において、原水中のシリカ成分等が析出して不具合を発生させるおそれがあるからである。
【０００４】
２５℃に加温された原水は、次に、原水ポンプ５２によって前処理ユニット５３に送られる。前処理ユニット５３は、プレフィルタ５３ａと、軟水装置５３ｂと、カーボンフィルタ５３ｃと、を当該順序で有している。プレフィルタ５３ａは、主として原水中の不純物（ゴミ）を濾過し、軟水装置５３ｂは、主として原水中のカルシウムイオン（Ｃａ2+ ）及びマグネシウムイオン（Ｍｇ2+ ）を除去し、カーボンフィルタ５３ｃは、主として原水中の塩素イオン（Ｃｌ- ）を除去する。
【０００５】
前処理ユニット５３での前処理が終わった原水は、ＲＯユニット５４（逆浸透膜処理装置）に送られる。ＲＯユニット５４は、ＲＯポンプ５４ｐを用いて、前処理が終わった原水をＲＯモジュール５４ｍ内に供給する。ＲＯモジュール５４ｍは、原水内に含まれる無機イオン全般を除去する。ＲＯモジュール５４ｍでの処理を終えたＲＯ水（原水の１５〜４８％程度）は、ＲＯ水供給ユニット５５に送られ、ＲＯモジュール５４ｍでの処理によって生成されたＲＯ排水は、一部（原水の５〜８０％程度、「循環水」とも呼ばれる）がＲＯポンプ５４ｐを介してＲＯモジュール５４ｍ内に再投入され、他の一部（原水の５〜４８％程度、「濃縮水」とも呼ばれる）が排水処理される。
【０００６】
ＲＯ水供給ユニット５５は、ＲＯ水が貯留されるＲＯ水タンク５５ｔを有している。ＲＯ水タンク５５ｔ内には、ＵＶ照射装置５５ｕが設けられていて、ＲＯ水にＵＶ照射処理を行なえるようになっている。また、ＲＯ水タンク５５ｔには、当該ＲＯ水タンク５５ｔ内のＲＯ水の水位変化に依存して流入する外部空気中の浮遊菌やゴミを除去するために、エアーフィルタ５５ｆが設けられている。
【０００７】
ＲＯ水タンク５５ｔに貯留されたＲＯ水は、送水ポンプ５６を介して、ＵＦ５７（ウルトラフィルタ、「限界濾過膜」とも呼ばれる）に送られる。ＵＦ５７は、ＲＯ水から生物学的不純物を除去する。ＵＦ５７によって生物学的不純物を除去されたＲＯ水は、透析用水として、透析治療用の各種の医療機器に送られる。通常、それらの医療機器において、透析用水は３６℃前後にまで加温されて、各種の透析治療に利用される。そして、透析用水は、医療機器循環後、ＵＦ５８（ウルトラフィルタ、「限界濾過膜」とも呼ばれる）に戻ってきて、更にＲＯ水タンク５５ｔに戻される。
【０００８】
図１２に示す以上のような人工透析用水製造装置は、すでに実用化されていて、透析治療のための人工透析用水を安定的に製造している。
【０００９】
その他、特許文献１は、人工透析用水中の細菌由来のＤＮＡ断片を簡単な設備、操作で効率よく除去できる方法及び浄化装置を提案している。
【先行技術文献】
【特許文献】
【００１０】
【特許文献１】特開２０１０−２７９４６１
【発明の概要】
【発明が解決しようとする課題】
【００１１】
本件出願人は、図１２に示す人工透析用水製造装置を製造する製造メーカーである。そして、本件発明者は、図１２の人工透析用水製造装置を更に改良することについて、鋭意検討を重ねてきた。そして、特に寒冷地において、原水加温に関するエネルギー効率を改善する余地があることを見出した。
【００１２】
また、人工透析用水の温度が患者体温を超えてしまうと、当該患者が強い不快感を訴える（暑がる）ということが分かっている。従って、人工透析用水の温度は、３６℃程度であることが望ましい。このためには、図１２に示す人工透析用水製造装置では、装置内のポンプ（原水ポンプ５２、ＲＯポンプ５４ｐ、送水ポンプ）の動作熱を考慮して、原水タンク５１内の原水の温度を３５℃以下に維持することが望ましい。
【００１３】
従来は、原水タンク５１内の原水の温度が３５℃を超えた場合に、原水タンク５１に接続された排出管（不図示）から当該原水を廃棄して、新たな原水を追加することで原水タンク５１内の原水の温度を維持していた。しかしながら、この方法では、有意な量の原水が無駄になる。
【００１４】
本発明は、以上の知見に基づいて創案されたものである。本発明の目的は、原水加温に関するエネルギー効率が改善され、且つ、原水の冷却をも効果的に実施できる人工透析用水製造装置を提供することである。また、本発明によって製造されるＲＯ水は、人工透析用水に限定されず、器具洗浄用水、検査用水、手洗い用水、調剤用水、等としても利用できる。すなわち、本発明は、広くは、原水加温に関するエネルギー効率が改善され、且つ、原水の冷却をも効果的に実施できる水処理装置を提供することである。
【課題を解決するための手段】
【００１５】
本発明は、原水が貯留される原水タンクと、前記原水タンク内の原水を循環させながら当該原水の温度を制御する熱交換装置と、前記原水タンク内の調温された原水を前処理する前処理ユニットと、前記前処理ユニットによって前処理された原水に対して逆浸透膜を用いて当該原水をＲＯ水とＲＯ排水とに分離するＲＯモジュールと、を備え、前記熱交換装置は、熱源として、前記ＲＯ排水の熱と、外気の熱と、を切り替え利用可能なヒートポンプチラーを有していることを特徴とする水処理装置である。
【００１６】
本発明によれば、熱交換効率に優れたヒートポンプチラーを採用して、従来は単純に排水処理されていたＲＯ排水の熱を原水の加温のために活用することにより、従来の電気ヒータによる原水加温と比較して、原水加温に関するエネルギー効率を改善することができる。
【００１７】
また、本発明のヒートポンプチラーは、例えばＲＯ排水が供給されない状態では、熱源として外気（の熱）を利用することができるため、ＲＯモジュールが運転しているか停止しているかに関わらず、極めて効率の良い原水加温を実現することができる。
【００１８】
原水タンク内の原水の温度は、後続の処理過程で原水中のシリカ成分等が析出することがないよう、２０℃以上、好ましは２５℃以上、に加温することが一般的である。一方、人工透析用水としての用途を意識して、ＲＯ水の温度を３６℃未満に抑えるためには、原水タンク内の原水の温度は、３５℃以下であることが好ましい。
【００１９】
もっとも、水道水が原水として利用される場合、原水の温度が最初から適温で、ヒートポンプチラーによる調温を必要としない場合がある。このような場合には、本発明の熱交換装置は、作動の必要性がない。従って、例えば、前記原水タンク内の原水の温度を測定する温度センサが更に設けられ、当該温度センサによって測定される原水の温度が所定範囲内、例えば２５℃〜３３℃である時には、前記熱交換装置は作動しないようになっていることが好ましい。
【００２０】
更に、例えば、前記熱交換装置への前記ＲＯ排水の供給を制御するＲＯ排水開閉弁と、前記熱交換装置を迂回して前記ＲＯ排水を排水するバイパス経路と、前記バイパス経路への前記ＲＯ排水の供給を制御するバイパス開閉弁と、を更に備え、前記温度センサによって測定される原水の温度が第１所定値未満である時に、前記ＲＯ排水開閉弁が開放されて、前記パイパス開閉弁が遮断されるようになっており、前記温度センサによって測定される原水の温度が第２所定値以上である時に、前記ＲＯ排水開閉弁が遮断されて、前記パイパス開閉弁が開放されるようになっていることが好ましい。
【００２１】
ここで、第１所定値と第２所定値との間のマージンは、ヒートポンプチラーの動作におけるヒステリシス防止の観点で定められることが好ましく、例えば、ターゲット温度を挟んで２℃（−１℃〜＋１℃）程度であることが好ましい。
【００２２】
また、前記熱交換装置へ前記ＲＯ排水が供給されない時、具体的には例えば前記熱交換装置への前記ＲＯ排水の流量を検出するセンサの出力が所定値未満である時、前記熱交換装置は、熱源として外気（の熱）を利用するようになっていることが好ましい。
【発明の効果】
【００２３】
本発明によれば、熱交換効率に優れたヒートポンプチラーを採用して、従来は単純に排水処理されていたＲＯ排水の熱を原水の加温のために活用することにより、従来の電気ヒータによる原水加温と比較して、原水加温に関するエネルギー効率を改善することができる。また、本発明のヒートポンプチラーは、例えばＲＯ排水が供給されない状態では、熱源として外気（の熱）を利用することができるため、ＲＯモジュールが運転しているか停止しているかに関わらず、極めて効率の良い原水加温を実現することができる。
【図面の簡単な説明】
【００２４】
【図１】本発明の一実施形態に係る水処理装置の概略説明図である。
【図２】図１の水処理装置の熱交換装置の詳細を示す概略図である。
【図３】ＲＯ排水熱交換器作動時の各弁の開閉状態を示す概略図である。
【図４】ＲＯ排水熱交換器非作動時の各弁の開閉状態を示す概略図である。
【図５】各弁の動作状態について纏めた図表である。
【図６】熱交換装置内の複数の弁の配置例を示す図であり、ＲＯ排水が供給されていて、当該ＲＯ排水によって原水の加温がなされる場合の各熱媒体経路を示している。
【図７】図６と同様の図であり、ＲＯ排水が供給されていない状態で、外気（空気）によって原水の加温がなされる場合の各熱媒体経路を示している。
【図８】図６と同様の図であり、ＲＯ排水が供給されていて、当該ＲＯ排水によって原水の冷却がなされる場合の各熱媒体経路を示している。
【図９】図６と同様の図であり、ＲＯ排水が供給されていない状態で、外気（空気）によって原水の冷却がなされる場合の各熱媒体経路を示している。
【図１０】図６乃至図９に示した熱交換装置内の各弁を含む各構成要素の動作表の一例である。
【図１１】図６乃至図９に示した各弁の動作状況について、図５に対応させた図表である。
【図１２】従来の人工透析用水製造装置の概略説明図である。
【発明を実施するための形態】
【００２５】
以下、図面を参照して本発明の実施の形態について説明する。  
【００２６】
図１は、本発明の一実施形態に係る水処理装置の概略説明図である。図１に示すように、本実施形態の水処理装置１０は、原水が貯留されると共に当該原水を加温する加温ヒータ１１ｈが設けられた原水タンク１１と、原水タンク１１内の原水を循環させながら当該原水の温度を制御する熱交換装置３２と、原水タンク１１内の調温された原水を前処理する前処理ユニット１３と、前処理ユニット１３によって前処理された原水に対して逆浸透膜（ＲＯＭ）を用いて当該原水をＲＯ水とＲＯ排水とに分離するＲＯモジュール１５ｍと、を備えている。
【００２７】
本実施形態では、原水として水道水が用いられるようになっている。水道水である原水は、原水タンク１１において貯留されるようになっている。原水タンク１１には原水タンク温度センサ２１が設けられている。また、本実施形態では、原水タンク１１の底部から導出されて、原水循環ポンプ３３及び熱交換装置３２を介して、原水タンク１１に再度戻ってくる原水循環経路３１が形成されている。
【００２８】
図２は、図１の水処理装置１０の熱交換装置３２の詳細を示す概略図である。図２に示すように、熱交換装置３２は、原水と第１熱媒体との熱交換を担う原水熱交換器４１と、第１熱媒体と第２熱媒体との熱交換を担うヒートポンプチラー４２と、第２熱媒体と外気との熱交換を担う外気熱交換器４３（例えばフィンチューブ熱交換器ファン）と、第２熱媒体とＲＯ排水との熱交換を担うＲＯ排水熱交換器２０と、ＲＯ排水の流量（流入量）を検出するＲＯ排水流量センサ４５と、を有している。
【００２９】
ヒートポンプチラー４２において第１熱媒体と熱交換される第２熱媒体は、熱交換装置３２内の複数の弁の切替制御によって（図６乃至図１１参照）、外気熱交換器４３を循環する経路と、ＲＯ排水熱交換器２０を循環する経路と、のいずれかを循環するようになっている。
【００３０】
本実施形態の熱交換装置３２及び／または加温ヒータ１１ｈは、原水タンク温度センサ２１によって測定される水道水の温度が２５℃〜３３℃である時には、作動しないようになっている。
【００３１】
一方、原水タンク温度センサ２１によって測定される水道水の温度が２５℃未満である時には、本実施形態の熱交換装置３２はヒートポンプとして機能して、原水タンク１１内の原水の温度を２５℃に加温するようになっている。この加温制御は、熱交換装置３２単独で実現してもよいし（その場合、加温ヒータ１１ｈを設けることが不要となる）、加温ヒータ１１ｈとの組合わせによって実現してもよい。
【００３２】
逆に、原水タンク温度センサ２１によって測定される水道水の温度が３３℃を超えている時には、本実施形態の熱交換装置３２はチラーとして機能して、原水タンク１１内の原水の温度を３３℃未満に冷却するようになっている。
【００３３】
図１に戻って、２５℃〜３３℃に調温された原水は、原水ポンプ１２によって前処理ユニット１３に送られるようになっている。前処理ユニット１３は、プレフィルタ１３ａと、軟水装置１３ｂと、カーボンフィルタ１３ｃと、を当該順序で有している。プレフィルタ１３ａは、主として原水中の不純物（ゴミ）を濾過するようになっており、軟水装置１３ｂは、主として原水中のカルシウムイオン（Ｃａ2+ ）及びマグネシウムイオン（Ｍｇ2+ ）を除去するようになっており、カーボンフィルタ１３ｃは、主として原水中の塩素イオン（Ｃｌ- ）を除去するようになっている。
【００３４】
前処理ユニット１３での前処理が終わった原水は、ＲＯユニット１４（逆浸透膜処理装置）に送られるようになっている。ＲＯユニット１４は、ＲＯポンプ１４ｐを用いて、前処理が終わった原水をＲＯモジュール１４ｍ内に供給するようになっている。ＲＯモジュール１４ｍは、原水内に含まれる無機イオン全般を除去するようになっている。ＲＯモジュール１４ｍでの処理を終えたＲＯ水（原水の１５〜４８％程度）は、ＲＯ水供給ユニット１５に送られるようになっており、ＲＯモジュール１４ｍでの処理によって生成されたＲＯ排水は、一部（原水の５〜８０％程度、「循環水」とも呼ばれる）がＲＯポンプ１４ｐを介してＲＯモジュール１４ｍ内に再投入されるようになっており、他の一部（原水の５〜４８％程度、「濃縮水」とも呼ばれる）が排水処理されるようになっている。
【００３５】
ＲＯ水供給ユニット１５は、ＲＯ水が貯留されるＲＯ水タンク１５ｔを有している。ＲＯ水タンク１５ｔ内には、ＵＶ照射装置１５ｕが設けられていて、ＲＯ水にＵＶ照射処理を行なえるようになっている。また、ＲＯ水タンク１５ｔには、当該ＲＯ水タンク１５ｔ内のＲＯ水の水位変化に依存して流入する外部空気中の浮遊菌やゴミを除去するために、エアーフィルタ１５ｆが設けられている。
【００３６】
ＲＯ水タンク１５ｔに貯留されたＲＯ水は、送水ポンプ１６を介して、ＵＦ１７（ウルトラフィルタ、「限界濾過膜」とも呼ばれる）に送られるようになっている。ＵＦ１７は、ＲＯ水から生物学的不純物を除去するようになっている。ＵＦ１７によって生物学的不純物を除去されたＲＯ水は、透析用水として、透析治療用の各種の医療機器（不図示）に送られるようになっている。通常、それらの医療機器において、透析用水は各種の透析治療に利用される。そして、透析用水は、医療機器循環後、ＵＦ１８（ウルトラフィルタ、「限界濾過膜」とも呼ばれる）に戻ってきて、更にＲＯ水タンク１５ｔに戻されるようになっている。
【００３７】
本実施形態では、熱交換装置３２によって原水が２５℃〜３３℃に調温されるため、ＲＯ排水の温度も２５℃〜３３℃程度である。そこで、本実施形態による熱交換装置３２は、当該ＲＯ排水の熱を利用して、原水タンク１１内の原水を調温するようになっている。
【００３８】
また、図３及び図４に示すように、ＲＯ排水熱交換器２０にＲＯ排水を供給するための供給経路上に、当該ＲＯ排水の供給を制御するＲＯ排水入口開閉弁２２が設けられている。そして、ＲＯ排水熱交換器２０を迂回してＲＯ排水を排水するバイパス経路２３と、バイパス経路２３へのＲＯ排水の供給を制御するバイパス開閉弁２４と、が設けられている。また、本実施形態では、ＲＯ排水熱交換器２０を出たＲＯ排水を排水処理装置（不図示）へと供給するための供給経路上に、ＲＯ排水出口開閉弁２６が設けられている。
【００３９】
そして、本実施形態では、原水タンク温度センサ２１によって測定される原水の温度が例えば２４℃未満である時には、制御部２７の制御により、ＲＯ排水入口開閉弁２２及びＲＯ排水出口開閉弁２６が開放されて、パイパス開閉弁２４が遮断されるようになっており、原水タンク温度センサ２１によって測定される原水の温度が例えば２６℃以上である時には、ＲＯ排水入口開閉弁２２及びＲＯ排水出口開閉弁２６が遮断されて、パイパス開閉弁２４が開放されるようになっている。
【００４０】
次に、本実施の形態の作用について説明する。
【００４１】
例えば９℃の水道水である原水が、原水タンク１１において貯留されるとする。当該原水は、原水循環ポンプ３３の駆動により、原水タンク１１の底部から導出された原水循環経路３１を通って、熱交換装置３２に至る。
【００４２】
この時、図３に示すように、原水タンク温度センサ２１によって測定される原水の温度は２４℃未満であるため、ＲＯ排水入口開閉弁２２及びＲＯ排水出口開閉弁２６が開放されて、且つ、パイパス開閉弁２４が遮断されて、ＲＯ排水がＲＯ排水熱交換器２０に送られる。例えば、熱交換装置３２は、２５℃程度のＲＯ排水の熱によって、ＲＯ排水熱交換器２０、ヒートポンプチラー４２及び原水熱交換器４１を介して、９℃の水道水を一次加温する。そして、原水タンク１１の加温ヒータ１１ｈが、原水の温度を更に２５℃にまで加温する。
【００４３】
この時、ＲＯ排水が熱交換装置３２に供給されない場合には（例えばＲＯ排水流量センサ４５の出力が所定値未満である場合には）、熱交換装置３２は、外気（の熱）によって、外気熱交換器４３、ヒートポンプチラー４２及び原水熱交換器４１を介して、９℃の水道水を一次加温する。そして、原水タンク１１の加温ヒータ１１ｈが、原水の温度を更に２５℃にまで加温する。
【００４４】
あるいは、３５℃の水道水である原水が、原水タンク１１において貯留されるとする。当該原水は、原水循環ポンプ３３の駆動により、原水タンク１１の底部から導出された原水循環経路３１を通って、熱交換装置３２に至る。そして、熱交換装置３２は、ＲＯ排水熱交換器２０、ヒートポンプチラー４２及び原水熱交換器４１を介して、２５℃程度のＲＯ排水と熱交換することによって（ＲＯ排水に放熱することによって）、３５℃の水道水を３３℃未満に冷却する。
【００４５】
この時、ＲＯ排水が熱交換装置３２に供給されない場合には（例えばＲＯ排水流量センサ４５の出力が所定値未満である場合には）、熱交換装置３２は、外気（の熱）によって、外気熱交換器４３、ヒートポンプチラー４２及び原水熱交換器４１を介して、３５℃の水道水を３３℃未満に冷却する。
【００４６】
２５℃〜３３℃に調温された原水は、原水ポンプ１２によって前処理ユニット１３に送られる。前処理ユニット１３において、プレフィルタ１３ａが、主として原水中の不純物（ゴミ）を濾過して除去し、軟水装置１３ｂが、主として原水中のカルシウムイオン（Ｃａ2+ ）及びマグネシウムイオン（Ｍｇ2+ ）を除去し、カーボンフィルタ１３ｃが、主として原水中の塩素イオン（Ｃｌ- ）を除去する。
【００４７】
前処理ユニット１３での前処理が終わった原水は、ＲＯユニット１４（逆浸透膜処理装置）に送られる。ＲＯユニット１４は、ＲＯポンプ１４ｐを用いて、前処理が終わった原水をＲＯモジュール１４ｍ内に供給する。ＲＯモジュール１４ｍは、原水内に含まれる無機イオン全般を除去する処理を実施し、ＲＯモジュール１４ｍでの処理を終えたＲＯ水（原水の１５〜４８％程度）は、ＲＯ水供給ユニット１５に送られる。
【００４８】
一方、ＲＯモジュール１４ｍでの処理によって生成されたＲＯ排水は、一部（原水の５〜８０％程度、「循環水」とも呼ばれる）がＲＯポンプ１４ｐを介してＲＯモジュール１４ｍ内に再投入され、他の一部（原水の５〜４８％程度、「濃縮水」とも呼ばれる）が前述のようにＲＯ排水熱交換器２０に送られる。
【００４９】
より詳細には、図３に示すように、原水タンク温度センサ２１によって測定される原水の温度が第１所定値未満、例えば２４℃未満、である時には、ＲＯ排水入口開閉弁２２及びＲＯ排水出口開閉弁２６が開放されて、且つ、パイパス開閉弁２４が遮断されて、ＲＯ排水が熱交換装置２０に送られる。例えば、２５℃程度のＲＯ排水の熱によって、９℃の水道水を一次加温することができる。
【００５０】
これに対して、原水タンク温度センサ２１によって測定される原水の温度が第２所定値以上、例えば２６℃以上、である時には、原水の加温の必要性がないため、本実施形態では、図４に示すように、ＲＯ排水入口開閉弁２２及びＲＯ排水出口開閉弁２６が遮断されて、且つ、パイパス開閉弁２４が開放されて、ＲＯ排水がパイパス経路２３を介して排水処理される。
【００５１】
さて、ＲＯ水供給ユニット１５では、ＲＯ水タンク１５ｔにＲＯ水が貯留される。必要に応じて、ＵＶ照射装置１５ｕによってＵＶ照射処理が行なわれる。
【００５２】
その後、ＲＯ水タンク１５ｔに貯留されたＲＯ水は、送水ポンプ１６を介して、ＵＦ１７（ウルトラフィルタ）に送られる。ＵＦ１７は、ＲＯ水から生物学的不純物を除去する。ＵＦ１７によって生物学的不純物を除去されたＲＯ水は、例えば透析用水として、透析治療用の各種の医療機器（不図示）に送られる。当該透析用水は、医療機器循環後、ＵＦ１８（ウルトラフィルタ）に戻ってきて、更にＲＯ水タンク１５ｔに戻される。
【００５３】
以上の通り、本実施形態によれば、熱交換効率に優れたヒートポンプチラー４２を採用して、従来は単純に排水処理されていたＲＯ排水の熱を原水の加温のために活用することにより、従来の電気ヒータによる原水加温と比較して、原水加温に関するエネルギー効率を改善することができる。
【００５４】
また、本実施形態によれば、ヒートポンプチラー４２は、例えばＲＯ排水が供給されない状態では、熱源として外気（の熱）を利用することができるため、ＲＯユニット１４が運転しているか停止しているかに関わらず、極めて効率の良い原水加温を実現することができる。
【００５５】
なお、本実施形態の水処理装置１０は、消毒運転を実施することも可能である。消毒運転は、熱水や薬液を用いて行なわれ得る。消毒運転実施中は、熱交換装置３２を作動させる必要がないため、ＲＯ排水はバイパス経路２３を介して排水処理される。
【００５６】
以上に説明した各運転状態におけるＲＯ排水入口開閉弁２２、ＲＯ排水出口開閉弁２６及びパイパス開閉弁２４の動作状態を、図５に纏めて示す。
【００５７】
更に、熱交換装置３２内の複数の弁の配置例を、図６乃至図９に示す。図６は、ＲＯ排水が供給されていて、当該ＲＯ排水によって原水の加温がなされる場合の各熱媒体経路を示しており、図７は、ＲＯ排水が供給されていない状態で、外気（空気）によって原水の加温がなされる場合の各熱媒体経路を示しており、図８は、ＲＯ排水が供給されていて、当該ＲＯ排水によって原水の冷却がなされる場合の各熱媒体経路を示しており、図９は、ＲＯ排水が供給されていない状態で、外気（空気）によって原水の冷却がなされる場合の各熱媒体経路を示している。
【００５８】
図１０は、図６乃至図９に示した熱交換装置３２内の各弁を含む各構成要素の動作表の一例である。更に、図１１は、図６乃至図９に示した各弁の動作状況について、図５に対応させた表である。
【符号の説明】
【００５９】
１０  水処理装置
１１  原水タンク
１１ｈ  加温ヒータ
１２  原水ポンプ
１３  前処理ユニット
１３ａ  プレフィルタ
１３ｂ  軟水装置
１３ｃ  カーボンフィルタ
１４  ＲＯユニット
１４ｐ  ＲＯポンプ
１４ｍ  ＲＯモジュール
１５  ＲＯ水供給ユニット
１５ｔ  ＲＯ水タンク
１５ｕ  ＵＶ照射装置
１５ｆ  エアーフィルタ
１６  送水ポンプ
１７  ＵＦ（ウルトラフィルタ）
１８  ＵＦ（ウルトラフィルタ）
２０  ＲＯ排水熱交換器
２１  原水タンク温度センサ
２２  ＲＯ排水入口開閉弁
２３  バイパス経路
２４  バイパス開閉弁
２６  ＲＯ排水出口開閉弁
３１  原水循環経路
３２  熱交換装置
３３  原水循環ポンプ
４１  原水熱交換器
４２  ヒートポンプチラー
４３  外気熱交換器
４５  ＲＯ排水流量センサ
５１  原水タンク
５１ｈ  加温ヒータ
５２  原水ポンプ
５３  前処理ユニット
５３ａ  プレフィルタ
５３ｂ  軟水装置
５３ｃ  カーボンフィルタ
５４  ＲＯユニット
５４ｐ  ＲＯポンプ
５４ｍ  ＲＯモジュール
５５  ＲＯ水供給ユニット
５５ｔ  ＲＯ水タンク
５５ｕ  ＵＶ照射装置
５５ｆ  エアーフィルタ
５６  送水ポンプ
５７  ＵＦ（ウルトラフィルタ）
５８  ＵＦ（ウルトラフィルタ）
【図１】
2018027256.tif 000003
【図２】
2018027256.tif 000004
【図３】
2018027256.tif 000005
【図４】
2018027256.tif 000006
【図５】
2018027256.tif 000007
【図６】
2018027256.tif 000008
【図７】
2018027256.tif 000009
【図８】
2018027256.tif 000010
【図９】
2018027256.tif 000011
【図１０】
2018027256.tif 000012
【図１１】
2018027256.tif 000013
【図１２】
2018027256.tif 000014